(57)【要約】【課題】木造建築の小屋組部材の接合で、接合部材のお互いを切欠しないで、接合金物のみにて接合する装置を提供する。【解決手段】梯形のプレート２の両端に釘孔５を有する止板３を備え、前記梯形のプレート２から突設する接合板４を設け、前記梯形のプレート２が主幹部材２０の側面に接する部分に複数の釘を打ち込む釘孔５を有し、前記梯形のプレート２が垂直部材２１に接する部分に複数の釘を打ち込む釘孔５を有し、前記垂直部材２１には接合板４が嵌る係合溝７を備えたものである。【選択図】　図１
2004068306.tif 000002
【特許請求の範囲】
【請求項１】
木造建築の小屋組部材の梁、桁、母屋等と垂直部材を金具で接合する木造建築の小屋組部材の接合装置において、
前記金具は、梯形のプレートの両端に釘孔を有する止板を備え、前記梯形のプレートから突設する接合板を設け、前記梯形のプレートが主幹部材の側面に接する部分と、垂直部材の側面に接する部分に複数の釘孔を有し、前記垂直部材には接合板が嵌る係合溝を備えていることを特徴とする木造建築の小屋組部材の接合装置。
【請求項２】
木造建築の小屋組部材の母屋と垂直部材を金具で接合する木造建築の小屋組部材の接合装置において、
前記金具は、枠を正方形に形成し、対向する二面の枠を上部に延長した部分の板体が対向する内側面に直交して位置決め桟を備え、前記枠の内側の各面と前記垂直部材の各面が接する部分に複数の釘孔を有し、前記枠の板体が対向する面が母屋の側面に接する部分に複数の釘孔を有することを特徴とする木造建築の小屋組部材の接合装置。
【請求項３】
木造建築の小屋組部材の母屋と垂直部材を金具で接合する木造建築の小屋組部材の接合装置において、
前記金具は、枠を正方形に形成し、対向する二面の枠を上部に延長した部分の板体を左右に延長し、対向する板体の面が母屋の継ぎ手の双方の側面に接する部分に複数の釘孔を均等間隔に設けたことを特徴とする木造建築の小屋組部材の接合装置。
【発明の詳細な説明】
【０００１】
【発明の属する技術分野】
この発明は、木造建築において、小屋組部材の接合で、接合部材の当接する部分のお互いを切欠しないで、接合金物のみにて接合する木造建築の小屋組部材の接合装置に関する。
【０００２】
【従来の技術】
従来の木造建築の小屋組部材の接合は、例えば、母屋の継手部分の組み合わせは、男木と女木の切欠加工を行って組合せ、梁、桁と母屋との間に垂直部材の束柱を立設する場合、梁、桁、母屋にほぞ穴を掘り、束柱の上下端にはほぞを加工し、梁、桁、母屋に掘ったほぞ穴に、束柱の上下端のほぞを嵌め込み組立を行っていた。
【０００３】
【発明が解決しようとする課題】
しかしながら、上記した従来の木造建築の接合で、小屋組部材を接合する当接部分を切欠して組合せをすることは、部材の断面積の欠損となり、部材の強度を著しく損ねることとなり、強い外力を受けると損壊する可能性がある。
【０００４】
この発明は上記した従来技術の問題点を解決するためになされたもので、その目的とするところは、接合する当接部分の切欠を行わず金物のみにて接合し、部材の接合部分の強度を高めた頑丈な構造体を提供することにある。
【０００５】
【課題を解決するための手段】
上記目的を達成するために、この発明は、木造建築の小屋組部材の梁、桁、母屋等と垂直部材を金具で接合する木造建築の小屋組部材の接合装置において、　前記金具は、梯形のプレートの両端に釘孔を有する止板を備え、前記梯形のプレートから突設する接合板を設け、前記梯形のプレートが主幹部材の側面に接する部分と、前記垂直部材の側面に接する部分に複数の釘孔を有し、前記垂直部材には接合板が嵌る係合溝を備えていることを特徴とする。
【０００６】
木造建築の小屋組部材の母屋と垂直部材を金具で接合する木造建築の小屋組部材の接合装置において、前記金具は、枠を正方形に形成し、相対する二面の枠を上部に延長した部分の板体が対向する内側の面に直交して位置決め桟を備え、前記枠の内側の各面と前記垂直部材の各面が接する枠の部分に複数の釘孔を有し、前記枠の板体が対向する面が母屋の側面に接する部分に複数の釘孔を有することが好ましい。
【０００７】
木造建築の小屋組部材の母屋と垂直部材を金具で接合する木造建築の小屋組部材の接合装置において、前記枠を正方形に形成し、対向する二面の枠を上部に延長した部分の板体を左右に延長し、対向する板体の面が母屋の継ぎ手の双方の側面に接する部分に、複数の釘孔を均等間隔に設けたことを特徴とする。
【０００８】
【発明の実施の形態】
以下に、この発明の図示の実施の形態に基づき詳細に説明する。
図１ないし図３は、この発明の実施の形態に係る木造建築の小屋組部材の接合装置を示している。以下の説明では図１を中心に説明し、適宜参照する図を表示するものとする。
図１において、１は金具を示しており、この金具は建築物の主幹部材２０と垂直部材２１との接合部分に設けられている。垂直部材２１の上部には母屋２２などの屋根が設けられている、金具１は小屋組の適宜箇所に複数装着される（図７参照）。
【０００９】
金具１は梯形のプレート２の両端に、梯形のプレート２の面に直交して水平釘孔５を有する止板３を設け、梯形のプレート２の中心に梯形のプレート２に直交して垂直に接合板４を設け、梯形のプレート２が主幹部材２０の面に接する部分に複数の釘孔５を有し、梯形のプレート２が垂直部材２１に接する部分に複数の釘孔５を有している。梯形のプレート２と接合板４等はステンレース，　鉄板、鋼鈑等の剛性を有する素材からなり、亜鉛メッキなどを施すものである。
【００１０】
梯形のプレート２の両端の止板３を、主幹部材２０の上部の角に載せ、梯形のプレート２を主幹部材２０の側面に接して位置を決めた後、梯形のプレート２の下部の釘孔５と止板３の釘孔５から主幹部材２０に釘６を打ち込み、梯形のプレート２を固定する。垂直部材２１を上から降ろし、金具１の接合板４を垂直部材２１の係合溝７に嵌め込み、梯形のプレート２と垂直部材２１と接する面の釘孔５から垂直部材２１に釘６を打ち込み固定する。同時に金具１の接合板４を垂直部材２１の係合溝７に嵌合したことにより、垂直部材２１は主幹部材２０の上に垂直に起立している。構造部材に打込む釘６は亜鉛メッキなどを施したものを使用するものとする。
【００１１】
図４ないし図５は、この発明の実施の形態に係る木造建築の小屋組部材の接合金物を示している。以下の説明では図４を中心に説明し、適宜参照する図を表示するものとする。図４において、３０は金具全体を示しており、この金具３０は、垂直部材２１と母屋２２との接合部分に設けられている。母屋２２の上部には屋根材が載せられている。金具３０は小屋組の適宜箇所に複数装着される。
【００１２】
金具３０は、枠３１を正方形に形成し、枠３１の対向する二面の枠３１を上部に延長した板体３１ａが対向する内側面に直交して位置決め桟３２を備え、枠３１の正方形の各面に垂直部材２１の各面が接する部分に複数の釘３５を打ち込む釘孔３４を有し、枠３１の板体３１ａが対向する面が母屋２２の側面に接する部分に複数の釘３５を打ち込む釘孔３４を有するものである。金具３０はステンレス、鉄板、鋼鈑などの鋼製を有する素材からなり、亜鉛メッキを施すものである（図５（ａ）（ｂ）参照）。
【００１３】
垂直部材２１の上部に枠３１を被せ、位置決め桟３２の下部が垂直部材２１の木口に接した状態で、枠３１の各面に設けた複数の釘孔３４から垂直部材２１の各面に釘３５を打ち込み、垂直部材２１に枠３１を固定する。母屋２２の長手方向に直交して位置決め桟３２の中に振り分けに設けた位置決め桟３２に嵌める係合溝２２ａを有し、枠３１の板体３１ａが対向する面に母屋２２を上から降ろし、位置決め桟３２に係合溝２２ａを嵌合して母屋２２の位置を確定し、枠３１の板体３１ａの対向面に母屋２２が接する部分に、枠３１の板体３１ａの対向面に有する複数の釘孔３４から、母屋２２の側面に釘３５を打ち込み、枠３１に母屋２２を固定する（図７参照）。
【００１４】
図６は、この発明の実施の形態に係る金具を示している。図６において、前記枠３１の板体３１ａの対向面には母屋２２どうしの継手部分３８を収めるもので、母屋２２の継手部分３８の木口がセンターとなり、母屋２２の木口に平行して位置決め桟　３２の幅の１／２をそれぞれの母屋の下部を切欠し、板体３１ａの対向面に双方の母屋２２を収め、板体３１ａの対向面のそれぞれを左右に延長した部分を含め、板体３１ａの対向面のそれぞれに複数の釘孔３４を均等間隔に設ける。
【００１５】
母屋２２の長手方向の双方の継手部分を板体３１ａの対向面に収めるのに、一方の母屋２２を上から降ろし、母屋２２の木口に設けた切欠き３２ａを位置決め桟３２の中心に合わせ、他方の母屋２２を上から降ろし、木口に設けた切欠部３２ａを位置決め桟３２の中心に合せ、枠３１の板体３１ａの対向面のそれぞれを左右に延長した部分を含めた板体３１ａに設けた複数の釘孔３４から双方の母屋２２の側面に釘３５を打ち込み、板体３１ａの対向面に双方の母屋２２を固定したものである。
【００１６】
【発明の効果】
以上説明したように、請求項１に記載の発明によれば、梯形のプレートの両端に釘孔を有する止板を備え、前記梯形のプレートから突設する接合板を設け、前記梯形のプレートが主幹部材の側面に接する部分と、垂直部材の各面に接する部分に複数の釘孔を有し、前記垂直部材には接合板が嵌る係合溝を備えたことで、接合部分の接合部材の双方を切欠などで痛めることなく、木材の持つ強度を十分に発揮できる。
【００１７】対向する二面の枠を上部に延長した板体が対向する内側に位置決め桟を備え、前記枠の正方形の各面と、前記垂直部材の各面が接する部分に複数の釘孔を有し、前記枠の板体の対向する面が母屋の側面に接する部分に複数の釘を打込むことで、接合部分の接合部材を切欠などで痛めることなく、最も風当たりが強い屋根を支える部材の強度を十分に発揮できる。
【００１８】
請求項３に記載の発明によれば、枠を正方形に形成し、対向する二面の枠を上部に延長した板体の面を左右に延長し、対向する板体の面が母屋の側面に接する部分に、複数の釘孔を均等間隔に設けたことで、母屋の継ぎ手部分の双方が切欠なしで固定できる。
【図面の簡単な説明】
【図１】図１はこの発明の金具を取り付けた状態の斜視図である。
【図２】図２は金具を取り付けた状態の正面図である。
【図３】図３は金具を取り付けた状態の平面図である。
【図４】図４はこの発明の金具の取り付け状態の斜視図である。
【図５】図５は図４の金具の側面図（ａ）と平面図（ｂ）である。
【図６】図６はこの発明の金具の取り付け状態の斜視図である。
【図７】図７はこの発明の金具を取り付けた小屋組の斜視図である。
【符号の説明】
１　金具、２　梯形のプレート、３　止板、４接合板、５　釘孔、７　係合溝、
２０　主幹部材（梁、桁）、２１　垂直部材（束柱）、２２　母屋、３０　金具、
３１　枠、３１ａ　板体、３２　位置決め桟、３４　釘孔、３５　釘、
【図１】
2004068306.tif 000003
【図２】
2004068306.tif 000004
【図３】
2004068306.tif 000005
【図４】
2004068306.tif 000006
【図５】
2004068306.tif 000007
【図６】
2004068306.tif 000008
【図７】
2004068306.tif 000009